(57)【特許請求の範囲】
【請求項１】
光源から射出された光を、入力される画像情報に応じて変調して画像光を形成する光変調装置と、形成した画像光を拡大投射する投射光学装置とを有する画像投射手段と、記録媒体を挿抜するための挿抜部を有し、前記画像投射手段を収納する筐体とを備えるプロジェクタであって、
当該プロジェクタを制御する制御手段を備え、
前記筐体は、
前記挿抜部の近傍を照明する照明手段を備え、
前記制御手段は、
前記投射光学装置から射出される画像光の輝度を調整する輝度調整部と、
前記輝度調整部にて輝度の調整が開始されたか否かを判定する調整開始判定部と、
前記調整開始判定部にて輝度の調整が開始されたと判定された場合には、前記照明手段に照明を開始させる照明制御部とを備えることを特徴とするプロジェクタ。
【請求項２】
請求項１に記載のプロジェクタにおいて、
前記制御手段は、前記プロジェクタに記録媒体が挿入されているか否かを判定する挿入判定部を備え、
前記照明制御部は、前記挿入判定部にて前記プロジェクタに記録媒体が挿入されていないと判定された場合には、前記照明手段に照明を開始させることを特徴とするプロジェクタ。
【請求項３】
請求項２に記載のプロジェクタにおいて、
前記輝度調整部は、前記挿入判定部にて前記プロジェクタに記録媒体が挿入されていないと判定された場合には、輝度の調整を開始することを特徴とするプロジェクタ。
【請求項４】
請求項１から請求項３のいずれかに記載のプロジェクタにおいて、
前記輝度調整部は、前記光変調装置を制御することで前記投射光学装置から射出される画像光の輝度を調整することを特徴とするプロジェクタ。
【請求項５】
請求項１から請求項４のいずれかに記載のプロジェクタにおいて、
前記照明手段は、所定時間かけて徐々に輝度を調整して照明を停止することを特徴とするプロジェクタ。
【請求項６】
光源から射出された光を、入力される画像情報に応じて変調して画像光を形成する光変調装置と、形成した画像光を拡大投射する投射光学装置とを有する画像投射手段と、当該プロジェクタに記録媒体を挿抜するための挿抜部を有し、前記画像投射手段を収納する筐体とを備えるプロジェクタの制御方法であって、
前記投射光学装置から射出される画像光の輝度の調整が開始されたか否かを判定する調整開始判定ステップと、
前記調整開始判定ステップにて輝度の調整が開始されたと判定されると、前記挿抜部の近傍を照明する照明手段に照明を開始させる照明制御ステップとを実行することを特徴とする制御方法。
【発明の詳細な説明】
【技術分野】
【０００１】
本発明は、プロジェクタおよび制御方法に関する。
【背景技術】
【０００２】
従来、光源から射出された光を、入力される画像情報に応じて変調して画像光を形成する光変調装置と、形成した画像光を拡大投射する投射光学装置とを有する画像投射手段と、ＤＶＤ（Digital Versatile Disc）等の記録媒体を再生して画像情報を出力する再生手段とを備えるプロジェクタが知られている。このようなプロジェクタは、再生手段に記録媒体を挿抜するための挿抜部を有している（例えば、特許文献１参照）。
ところで、プロジェクタは、一般的に暗い室内で使用されるので、例えば、再生手段による再生を停止して記録媒体の交換をする際などには、使用者は、一旦室内を明るくしなければ記録媒体の挿抜をしにくいという問題がある。
これに対して、特許文献１に記載のプロジェクタでは、再生手段による再生が停止すると、所定の輝度を有する案内画像が投射され、室内を照明することができるので、使用者は、記録媒体の挿抜をしやすくなる。
【０００３】
【特許文献１】特開２００５−９４４７５号公報
【発明の開示】
【発明が解決しようとする課題】
【０００４】
しかしながら、特許文献１に記載のプロジェクタでは、投射光学装置から投射される画像光により室内を照明するので、例えば、プロジェクタの筐体において、挿抜部の位置と、投射光学装置の位置とが反対側にある場合などには、挿抜部の近傍を十分に照明することができないという問題がある。
【０００５】
本発明の目的は、記録媒体を挿抜するための挿抜部を確実に照明することができるプロジェクタを提供することにある。
【課題を解決するための手段】
【０００６】
本発明のプロジェクタは、光源から射出された光を、入力される画像情報に応じて変調して画像光を形成する光変調装置と、形成した画像光を拡大投射する投射光学装置とを有する画像投射手段と、記録媒体を挿抜するための挿抜部を有し、前記画像投射手段を収納する筐体とを備えるプロジェクタであって、当該プロジェクタを制御する制御手段を備え、前記筐体は、前記挿抜部の近傍を照明する照明手段を備え、前記制御手段は、前記投射光学装置から射出される画像光の輝度を調整する輝度調整部と、前記輝度調整部にて輝度の調整が開始されたか否かを判定する調整開始判定部と、前記調整開始判定部にて輝度の調整が開始されたと判定された場合には、前記照明手段に照明を開始させる照明制御部とを備えることを特徴とする。
【０００７】
このような構成によれば、筐体は、挿抜部の近傍を照明する照明手段を備えるので、照明手段に照明を開始させることで、挿抜部の近傍を確実に照明することができる。なお、本発明では、近傍とは、使用者が挿抜部を介して記録媒体を挿抜する際に、少なくとも挿抜部および記録媒体の盤面を視認することができる程度の範囲をいうものとする。
【０００８】
本発明では、前記制御手段は、前記投射光学装置から射出される画像光の輝度を調整する輝度調整部と、前記輝度調整部にて輝度の調整が開始されたか否かを判定する調整開始判定部と、前記調整開始判定部にて輝度の調整が開始されたと判定された場合には、前記照明手段に照明を開始させる照明制御部とを備える。
【０００９】
ここで、例えば、輝度調整部を、再生手段による再生を停止した際などの使用者からの操作入力に応じて、投射光学装置から射出される画像光の輝度を低下させるように構成した場合には、使用者からの操作入力に応じて室内が暗くなるので、使用者は、一旦室内を明るくしなければ記録媒体の挿抜をしにくいという問題がある。
しかしながら、このような構成によれば、制御手段は、輝度調整部と、調整開始判定部と、照明制御部とを備えるので、輝度調整部にて輝度の調整が開始されると、調整開始判定部は、輝度の調整が開始されたと判定することができる。そして、照明制御部は、調整開始判定部にて輝度の調整が開始されたと判定されると、照明手段に照明を開始させるので、輝度の調整が開始されたことで室内が暗くなるような場合であっても挿抜部の近傍を確実に照明することができ、使用者は、記録媒体の挿抜をしやすくなる。
【００１０】
本発明では、前記制御手段は、前記プロジェクタに記録媒体が挿入されているか否かを判定する挿入判定部を備え、前記照明制御部は、前記挿入判定部にて前記プロジェクタに記録媒体が挿入されていないと判定された場合には、前記照明手段に照明を開始させることが好ましい。
【００１１】
このような構成によれば、制御手段は、挿入判定部と、照明制御部とを備えるので、例えば、再生手段による再生を停止して記録媒体の交換をする際などにおいて、使用者が記録媒体を排出するための操作をしたときに、挿入判定部は、プロジェクタに記録媒体が挿入されていないと判定することができる。そして、照明制御部は、挿入判定部にてプロジェクタに記録媒体が挿入されていないと判定されると、照明手段に照明を開始させるので、再生手段による再生を停止して記録媒体の交換をする際などにおいても、挿抜部の近傍を確実に照明することができ、使用者は、記録媒体の挿抜をしやすくなる。
【００１２】
本発明では、前記輝度調整部は、前記挿入判定部にて前記プロジェクタに記録媒体が挿入されていないと判定された場合には、輝度の調整を開始することが好ましい。
ここで、プロジェクタの筐体において、挿抜部の位置と、投射光学装置の位置とが同側にある場合には、再生手段による再生を停止して記録媒体の交換をする際などにおいて、投射光学装置から高輝度の画像光が投射されていると、投射された高輝度の画像光があたり、使用者が不快感を感じる場合があるという問題がある。
【００１３】
しかしながら、このような構成によれば、制御手段は、挿入判定部にてプロジェクタに記録媒体が挿入されていないと判定されると、輝度の調整を開始する輝度調整部を備えるので、例えば、再生手段による再生を停止して記録媒体の交換をする際などにおいて、使用者が記録媒体を排出するための操作をしたときに、投射光学装置から射出される画像光の輝度を低下させる調整を開始することができる。なお、投射光学装置から射出される画像光の輝度は、光源を制御することで射出される光の輝度を調整したり、光変調装置を制御することで形成される画像光の輝度を調整したりすることで調整することができる。
これによれば、再生手段による再生を停止して記録媒体の交換をする際などにおいても投射光学装置から投射される高輝度の画像光があたることがないので、使用者は、快適にプロジェクタを使用することができる。
【００１４】
本発明では、前記輝度調整部は、前記光変調装置を制御することで前記投射光学装置から射出される画像光の輝度を調整することが好ましい。
このような構成によれば、輝度調整部は、光源を制御することで射出される光の輝度を調整する場合などと比較して、迅速に投射光学装置から射出される画像光の輝度を調整することができる。
【００１５】
本発明では、前記照明手段は、所定時間かけて徐々に輝度を調整して照明を停止することが好ましい。
ここで、例えば、照明制御部を、輝度調整部による画像光の輝度の調整が停止したときに、照明手段による照明を停止させるように構成した場合には、輝度調整部による画像光の輝度の調整が停止するよりも先に照明手段による照明が停止すると室内が急激に暗くなってしまうという問題がある。
しかしながら、このような構成によれば、照明手段は、所定時間かけて徐々に輝度を調整して照明を停止するので、室内が急激に暗くなることがなく、使用者は、快適にプロジェクタを使用することができる。
【００１７】
本発明の制御方法は、光源から射出された光を、入力される画像情報に応じて変調して画像光を形成する光変調装置と、形成した画像光を拡大投射する投射光学装置とを有する画像投射手段と、当該プロジェクタに記録媒体を挿抜するための挿抜部を有し、前記画像投射手段を収納する筐体とを備えるプロジェクタの制御方法であって、前記投射光学装置から射出される画像光の輝度の調整が開始されたか否かを判定する調整開始判定ステップと、前記調整開始判定ステップにて輝度の調整が開始されたと判定されると、前記挿抜部の近傍を照明する照明手段に照明を開始させる照明制御ステップとを実行することを特徴とする。
このような構成によれば、前述したプロジェクタと同様の作用効果を奏することができる。
【発明を実施するための最良の形態】
【００１８】
〔第１実施形態〕
以下、本発明の第１実施形態を図面に基づいて説明する。
〔プロジェクタの概略構成〕
図１は、プロジェクタ１を前方側から見た斜視図である。
プロジェクタ１は、図１に示すように、光源から射出された光を、入力される画像情報に応じて変調して光学像を形成し、形成した光学像を拡大投射するプロジェクタ本体２と、プロジェクタ本体２に画像情報を出力するＤＶＤプレーヤー３と、プロジェクタ１の前面の略中央位置に設けられる発光素子４とを備える。なお、プロジェクタ１の内部構成については後に詳述する。
【００１９】
プロジェクタ本体２は、図１に示すように、ＤＶＤプレーヤー３の上方側に載置され、略直方体状に形成された上方側筐体２１と、上方側筐体２１の前面に露出する投射レンズ２２と、上方側筐体２１の上面の後方側に設けられた操作パネル２３とを備える。この操作パネル２３は、使用者に操作されることで後述する制御手段２５に操作信号を出力し、この操作信号に基づいて、プロジェクタ１の起動・調整等の操作およびＤＶＤプレーヤー３の再生・停止等の操作を実施するためのものである。ＤＶＤプレーヤー３は、この操作パネル２３が操作されることで、ＤＶＤプレーヤー３に挿入されたＤＶＤ等の記録媒体に記録された画像情報や、音声情報等の再生・停止等を実施する。
【００２０】
ＤＶＤプレーヤー３は、ＤＶＤ等の記録媒体を再生することで、記録媒体に記録された画像情報を、画像ケーブル（図示略）を介してプロジェクタ本体２に出力するものである。このＤＶＤプレーヤー３は、スロットインタイプとして構成され、図１に示すように、プロジェクタ本体２の下方側に配置され、略直方体状に形成された下方側筐体３１と、下方側筐体３１の前面の略中央部分に設けられたＤＶＤ挿抜部３２と、ＤＶＤ挿抜部３２の下方側に設けられたＤＶＤ動作表示部３３とを備える。
なお、本実施形態では、プロジェクタ１の筐体は、上方側筐体２１および下方側筐体３１により構成されている。
【００２１】
挿抜部としてのＤＶＤ挿抜部３２は、ＤＶＤ等の記録媒体が挿抜される部分であり、ＤＶＤプレーヤー３は、このＤＶＤ挿抜部３２に挿入された記録媒体に記録された画像情報や、音声情報等を再生する。また、ＤＶＤ挿抜部３２の側方には、記録媒体を排出する為の排出スイッチ３２Ａが取り付けられている。なお、排出スイッチ３２Ａについては後に詳述する。
ＤＶＤ動作表示部３３は、ＤＶＤプレーヤー３の再生・停止等の状態を表示する部分であり、使用者は、このＤＶＤ動作表示部３３を見ることで記録媒体の再生・停止等の状態を確認することができる。
【００２２】
照明手段としての発光素子４は、例えば、高輝度発光ダイオードにて構成され、ＤＶＤ挿抜部３２の近傍を上方側筐体２１および下方側筐体３１の外部から照明する。この発光素子４は、点灯することで、使用者がＤＶＤ挿抜部３２を介して記録媒体を挿抜する際に、少なくともＤＶＤ挿抜部３２および記録媒体の盤面を視認することができる程度の範囲を照明する輝度を有している。
また、この発光素子４は、後述する制御手段２５に接続される調光回路（図示略）を備えている。この調光回路は、制御手段２５からの制御信号に基づいて発光素子４を点灯または消灯させるための回路であり、発光素子４を点灯または消灯させる際には、発光素子４の輝度を所定時間かけて徐々に調整する。したがって、発光素子４は、所定時間かけて徐々に輝度を調整して照明を開始または停止する。
【００２３】
〔プロジェクタの内部構成〕
図２は、プロジェクタ１の内部構成を示すブロック図である。
プロジェクタ本体２は、図２に示すように、画像投射手段２４と、制御手段２５とを備えている。
画像投射手段２４は、光源から射出される光を画像情報に応じて変調して画像光を形成し、形成した画像光をスクリーンＳｃに向けて拡大投射するものであり、前述した上方側筐体２１に収納されている。この画像投射手段２４は、光源ランプ２４１と、液晶パネル２４２と、前述した投射レンズ２２とを備える。
【００２４】
光源としての光源ランプ２４１は、高圧放電ランプにて構成され、光を液晶パネル２４２に向けて射出する。なお、光源ランプ２４１に代えて、発光ダイオード、レーザダイオード、有機ＥＬ素子等の各種自己発光素子を光源としてもよい。
光変調装置としての液晶パネル２４２は、透過型の液晶パネルであり、画像情報に基づいて、液晶セル（図示略）に封入された液晶分子の配列を変化させ、光源ランプ２４１から射出された光を、透過若しくは遮断することにより画像情報に応じて変調して画像光を形成し、この画像光を投射レンズ２２に射出する。
【００２５】
投射光学装置としての投射レンズ２２は、筒状の鏡筒（図示略）内に複数のレンズが収納された組レンズとして構成され、液晶パネル２４２から射出された画像光をスクリーンＳｃに向けて拡大投射するものである。そして、スクリーンＳｃには、射出された画像光に基づく画像が表示される。
なお、図示は省略したが、プロジェクタ本体２は、光源ランプ２４１から射出される光をＲＧＢ（Red Green Blue）の３色の光に分離する色光分離光学装置を備えている。また、前述した液晶パネル２４２は、色光分離光学装置にて分離されたＲＧＢの３色に対応して設けられている。さらに、プロジェクタ本体２は、３色の画像光を合成してカラー画像を表す画像光を生成する合成光学装置を備えている。
【００２６】
制御手段２５は、例えば、ＣＰＵ（Central Processing Unit）等を含んで構成され、プロジェクタ１全体を制御する。この制御手段２５は、挿入判定部２５１と、照明制御部２５２と、輝度調整部２５３とを備える。
挿入判定部２５１は、ＤＶＤ挿抜部３２に記録媒体が挿入されているか否かを判定する。
照明制御部２５２は、挿入判定部２５１にてＤＶＤ挿抜部３２に記録媒体が挿入されていないと判定されると、発光素子４を点灯させて照明を開始させる。
輝度調整部２５３は、投射レンズ２２から射出される画像光の輝度を調整するものであり、挿入判定部２５１にてＤＶＤ挿抜部３２に記録媒体が挿入されていないと判定されると、輝度の調整を開始する。
【００２７】
ＤＶＤプレーヤー３は、前述した排出スイッチ３２Ａと、ＤＶＤ検出スイッチ３４とを備える。
排出スイッチ３２Ａは、押下されることでＤＶＤプレーヤー３に記録媒体の排出を開始させるためのスイッチであり、この排出スイッチ３２Ａが押下されると、ＤＶＤプレーヤー３は、内部に収納されている記録媒体を外部に排出する。
ＤＶＤ検出スイッチ３４は、ＤＶＤ挿抜部３２の内部に設けられた機械式スイッチであり、ＤＶＤ挿抜部３２の内部に記録媒体が挿入されているか否かを検出する。
排出スイッチ３２ＡおよびＤＶＤ検出スイッチ３４は、制御手段２５により制御され、排出スイッチ３２Ａは、押下されたことを示す情報、ＤＶＤ検出スイッチ３４は、記録媒体を検出したか否かを示す情報を、それぞれ制御手段２５に出力する。
【００２８】
〔プロジェクタの制御処理〕
図３は、プロジェクタ１の制御処理を示すフローチャートである。
プロジェクタ１は、操作パネル２３が操作されることで電源が投入されると、または排出スイッチ３２Ａが押下されると、以下の制御処理を実行する。
まず、挿入判定部２５１は、ＤＶＤ検出スイッチ３４から出力される情報を取得することで、ＤＶＤ挿抜部３２に記録媒体が挿入されているか否かを判定する（ステップＳ１：挿入判定ステップ）。
【００２９】
挿入判定ステップＳ１にてＤＶＤ挿抜部３２に記録媒体が挿入されているか否かが判定されると、照明制御部２５２は、挿入判定部２５１による判定結果に基づいて、発光素子４を点灯または消灯させる（ステップＳ２：照明制御ステップ）。
具体的に、照明制御部２５２は、挿入判定部２５１にてＤＶＤ挿抜部３２に記録媒体が挿入されていないと判定されると、発光素子４を点灯させて照明を開始させる（ステップＳ２１：照明開始ステップ）。また、照明制御部２５２は、挿入判定部２５１にてＤＶＤ挿抜部３２に記録媒体が挿入されていると判定されると、発光素子４を消灯させて照明を停止させる（ステップＳ２２：照明停止ステップ）。
【００３０】
照明制御ステップＳ２にて発光素子４が制御されると、輝度調整部２５３は、投射レンズ２２から射出される光の輝度を調整する（ステップＳ３：輝度調整ステップ）。
具体的に、照明制御ステップＳ２にて照明開始ステップＳ２１が実行されると、すなわち、挿入判定部２５１にてＤＶＤ挿抜部３２に記録媒体が挿入されていないと判定されると、輝度調整部２５３は、投射レンズ２２から射出される画像光の輝度を低くするように調整を開始する（ステップＳ３１：輝度調整開始ステップ）。そして、輝度調整開始ステップＳ３１にて輝度の調整が開始されると、制御手段２５は、再度、挿入判定ステップＳ１を実行する。
【００３１】
また、輝度調整部２５３は、照明制御ステップＳ２にて照明停止ステップＳ２２が実行されると、すなわち、挿入判定部２５１にてＤＶＤ挿抜部３２に記録媒体が挿入されていると判定されると、輝度の調整を停止する（ステップＳ３２：輝度調整停止ステップ）。これにより、プロジェクタ１は、画像情報に応じて形成された画像光をスクリーンＳｃに向けて拡大投射する。そして、輝度調整停止ステップＳ３２にて輝度の調整が停止されると、制御手段２５は、制御処理を終了する。
以上のステップＳ１〜Ｓ３を実行することにより、プロジェクタ１の制御処理が実行される。
【００３２】
本実施形態に係るプロジェクタ１によれば、次のような効果がある。
（１）プロジェクタ１の筐体は、ＤＶＤ挿抜部３２の近傍を照明する発光素子４を備えるので、発光素子４に照明を開始させることで、ＤＶＤ挿抜部３２の近傍を確実に照明することができる。
（２）制御手段２５は、挿入判定部２５１と、照明制御部２５２とを備えるので、ＤＶＤプレーヤー３による再生を停止して記録媒体の交換をする際などにおいても、ＤＶＤ挿抜部３２の近傍を確実に照明することができ、使用者は、記録媒体の挿抜をしやすくなる。
【００３３】
（３）制御手段２５は、挿入判定部２５１にてＤＶＤ挿抜部３２に記録媒体が挿入されていないと判定されると、輝度の調整を開始する輝度調整部２５３を備えるので、ＤＶＤプレーヤー３による再生を停止して記録媒体の交換をする際などにおいても投射レンズ２２から投射される高輝度の画像光があたることがないので、使用者は、快適にプロジェクタ１を使用することができる。
（４）輝度調整部２５３は、液晶パネル２４２を制御することで投射レンズ２２から射出される画像光の輝度を調整するので、迅速に投射レンズ２２から射出される画像光の輝度を調整することができる。
（５）発光素子４は、所定時間かけて徐々に輝度を調整して照明を停止するので、室内が急激に暗くなることがなく、使用者は、快適にプロジェクタを使用することができる。
【００３４】
〔第２実施形態〕
以下、本発明の第２実施形態を図面に基づいて説明する。
図４は、プロジェクタ１Ａの内部構成を示すブロック図である。
なお、以下の説明では、既に説明した部分については、同一符号を付してその説明を省
略する。
前記第１実施形態に係るプロジェクタ１では、照明制御部２５２は、挿入判定部２５１にてＤＶＤ挿抜部３２に記録媒体が挿入されていないと判定されると、発光素子４を点灯させて照明を開始させていた。これに対して、本実施形態に係るプロジェクタ１Ａでは、照明制御部２５２Ａは、調整開始判定部２５４にて投射レンズ２２から射出される画像光の輝度の調整が開始されたと判定されると、発光素子を点灯させて照明を開始させている点で異なる。
【００３５】
プロジェクタ１Ａは、図４に示すように、制御手段２５Ａを備え、制御手段２５Ａは、輝度調整部２５３Ａと、調整開始判定部２５４と、照明制御部２５２Ａとを備える。
輝度調整部２５３Ａは、使用者からの操作入力に応じて投射レンズ２２から射出される画像光の輝度を調整する。なお、本実施形態では、輝度調整部２５３Ａは、使用者からの操作入力に応じてＤＶＤプレーヤー３が再生を停止したときに、画像光の輝度の調整を開始し、再生を開始したときに、画像光の輝度の調整を停止するように構成されている。
調整開始判定部２５４は、輝度調整部２５３にて輝度の調整が開始されたか否かを判定する。
照明制御部２５２Ａは、調整開始判定部２５４にて輝度の調整が開始されたと判定されると、発光素子４を点灯させて照明を開始させる。
【００３６】
図５は、プロジェクタ１Ａの制御処理を示すフローチャートである。
プロジェクタ１Ａは、操作パネル２３が操作されることで電源が投入されると、以下の制御処理を実行する。
まず、調整開始判定部２５４は、輝度調整部２５３Ａにて輝度の調整が開始されたか否かを判定する（ステップＳ１１：調整開始判定ステップ）。
具体的に、輝度調整部２５３Ａは、使用者からの操作入力に応じてＤＶＤプレーヤー３が再生を停止したときに、画像光の輝度の調整を開始するので、この場合には、調整開始判定部２５４は、輝度の調整が開始されたと判定する。また、輝度調整部２５３Ａは、使用者からの操作入力に応じてＤＶＤプレーヤー３が再生を開始したときに、画像光の輝度の調整を停止するので、この場合には、調整開始判定部２５４は、輝度の調整が停止されたと判定する。
【００３７】
調整開始判定ステップＳ１１にて輝度の調整が開始されたか否かが判定されると、照明制御部２５２Ａは、調整開始判定部２５４による判定結果に基づいて、発光素子４を点灯または消灯させる（ステップＳ１２：照明制御ステップ）。
具体的に、照明制御部２５２Ａは、調整開始判定部２５４にて輝度の調整が開始されたと判定されると、発光素子４を点灯させて照明を開始させる（ステップＳ１２１：照明開始ステップ）。そして、照明開始ステップＳ１２１にて照明が開始されると、制御手段２５Ａは、再度、調整開始判定ステップＳ１１を実行する。また、照明制御部２５２Ａは、調整開始判定部２５４にて輝度の調整が停止されたと判定されると、発光素子４を消灯させて照明を停止させる（ステップＳ１２２：照明停止ステップ）。そして、照明停止ステップＳ１２２にて照明が停止されると、制御手段２５Ａは、制御処理を終了する。
以上のステップＳ１１〜Ｓ１２を実行することにより、プロジェクタ１Ａの制御処理が実行される。
【００３８】
このような本実施形態においても、前記第１実施形態における（１），（４），（５）と同様の作用効果を奏することができる他、以下の作用効果を奏することができる。
（６）制御手段２５Ａは、輝度調整部２５３Ａと、調整開始判定部２５４と、照明制御部２５２Ａとを備えるので、輝度の調整が開始されたことで室内が暗くなるような場合であってもＤＶＤ挿抜部３２の近傍を確実に照明することができ、使用者は、記録媒体の挿抜をしやすくなる。
【００３９】
〔実施形態の変形〕
なお、本発明は前記実施形態に限定されるものではなく、本発明の目的を達成できる範囲での変形、改良等は本発明に含まれるものである。
前記各実施形態では、プロジェクタ１，１Ａは、挿入判定部２５１または調整開始判定部２５４による判定結果に基づいて発光素子４による照明を開始していたが、例えば、使用者からの操作入力に基づいて照明手段による照明を開始するように構成してもよく、さらには、常時照明をしているように構成してもよい。また、前記各実施形態では、発光素子４は、所定時間かけて徐々に輝度を調整して照明を開始または停止していたが、迅速に調整するようにしてもよい。要するに、プロジェクタは、挿抜部の近傍を照明手段を備えていればよい。
【００４０】
前記各実施形態では、輝度調整部２５３，２５３Ａは、液晶パネル２４２を制御することで投射レンズ２２から射出される画像光の輝度を調整していたが、例えば、光源ランプ２４１から射出される光の輝度を調整することで投射レンズ２２から射出される画像光の輝度を調整してもよい。
前記第１実施形態では、挿入判定部２５１にてＤＶＤ挿抜部３２に記録媒体が挿入されていないと判定されると、輝度の調整を開始する輝度調整部２５３を備えていたが、例えば、プロジェクタの筐体において、挿抜部の位置と、投射光学装置の位置とが反対側にある場合などには、輝度調整部を備えていなくてもよい。
【００４１】
前記各実施形態では、ＤＶＤプレーヤー３は、スロットインタイプとして構成されていたが、例えば、トレータイプとして構成されていてもよい。要するに、プロジェクタは、記録媒体を挿抜するための挿抜部を有する筐体を備えていればよい。
前記各実施形態では、透過型の液晶パネル２４２を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
【産業上の利用可能性】
【００４２】
本発明は、プロジェクタに利用でき、特に、記録媒体を挿抜するための挿抜部を有するプロジェクタに好適に利用することができる。
【図面の簡単な説明】
【００４３】
【図１】第１実施形態におけるプロジェクタを前方側から見た斜視図。
【図２】前記実施形態におけるプロジェクタの内部構成を示すブロック図。
【図３】前記実施形態におけるプロジェクタの制御処理を示すフローチャート。
【図４】第２実施形態におけるプロジェクタの内部構成を示すブロック図。
【図５】前記実施形態におけるプロジェクタの制御処理を示すフローチャート。
【符号の説明】
【００４４】
１，１Ａ…プロジェクタ、４…発光素子（照明手段）、２１…上方側筐体（筐体）、２２…投射レンズ（投射光学装置）、２４…画像投射手段、２５，２５Ａ…制御手段、３１…下方側筐体（筐体）、３２…ＤＶＤ挿抜部（挿抜部）、２４１…光源ランプ（光源）、２４２…液晶パネル（光変調装置）、２５１…挿入判定部、２５２，２５２Ａ…照明制御部、２５３，２５３Ａ…輝度調整部、２５４…調整開始判定部、Ｓ１…挿入判定ステップ、Ｓ１１…調整開始判定ステップ、Ｓ１２，Ｓ２…照明制御ステップ、Ｓ３…輝度調整ステップ。
【図１】
0005125322.tif 000002
【図２】
0005125322.tif 000003
【図３】
0005125322.tif 000004
【図４】
0005125322.tif 000005
【図５】
0005125322.tif 000006